(57)【要約】【課題】受信したデータの宛先ユーザーを特定して当該ユーザー用のボックスに受信データを振分けて保存するボックス保存制御を実行するファクシミリ装置において、保存先のボックスの記憶容量が不足する場合に、受信データが意図せずに自局出力される（自装置のプリント出力部からプリント出力される）のを防止する。【解決手段】ファクシミリ装置は、受信データの宛先ユーザーが自装置にログイン中であると判定した場合に、当該ログイン中のユーザーに、上受信データを自局出力するか否かを確認し（ステップＳ１１の処理を実行し）、該確認に対して上記ログイン中のユーザーがプリント出力しない旨を回答した場合（ステップＳ１２でＮＯ）、及び、上記宛先ユーザーが自装置にログイン中でないと判定した場合に（ステップＳ１０でＮＯ）、上記受信データを破棄する（ステップＳ１４）。【選択図】図８
2020005225.tif 000002
【特許請求の範囲】
【請求項１】
ファクシミリ通信回線を通じてデータを受信する受信部と、ユーザーアカウント毎に予め登録された記憶領域であるボックスを有する記憶部と、上記受信部が受信した受信データを基に、該受信データの宛先ユーザーのユーザーアカウントを認識する宛先認識部と、該宛先認識部が認識したユーザーアカウントに紐付けされたボックスに上記受信データを振り分けて保存する振分け部と、上記受信部が受信した受信データを自装置からプリント出力するプリント出力部と備えたファクシミリ装置であって、
上記振分け部による振分け先のボックスの記憶容量が、保存しようとする受信データの容量に対して不足する場合に、上記受信データの宛先ユーザーが、自装置にログイン中のユーザーであるか否かを判定するログインユーザー判定部と、
上記ログインユーザー判定部において上記宛先ユーザーが自装置にログイン中であると判定された場合に、上記受信データを上記プリント出力部からプリント出力するか否かを、当該ログイン中のユーザーに確認する確認部と、
上記確認に対して上記ログイン中のユーザーがプリント出力しない旨を回答した場合、及び、上記ログインユーザー判定部において上記宛先ユーザーが自装置にログイン中でないと判定された場合に、上記受信データを破棄するデータ破棄部とを備えている、ファクシミリ装置。
【請求項２】
請求項１記載のファクシミリ装置において、
上記ログインユーザー判定部において上記宛先ユーザーが自装置にログイン中であると判定された場合において、上記確認に対して上記ログイン中のユーザーがプリント出力する旨の回答をした場合には、上記受信データを上記プリント出力部からプリント出力する、ファクシミリ装置。
【請求項３】
請求項１又は２記載のファクシミリ装置において、
上記宛先認識部が認識した上記宛先ユーザーのユーザーアカウントに紐付けされたボックスが上記記憶部に登録されていない場合に、当該ユーザーアカウントに紐付けされたボックスを上記記憶部内に自動的に登録する自動登録部をさらに備えている、ファクシミリ装置。
【請求項４】
請求項３記載のファクシミリ装置において、
情報を表示する表示画面と、
上記自動登録部により上記記憶部にボックスが自動登録された後、上記振分け部により当該ボックス内に振り分けられた受信データが表す文書情報を受信文書リストに保持しておき、当該ボックスに紐付けされたユーザーアカウントのユーザーがログインした際に当該受信文書リストを上記表示画面に表示させるリスト表示部とをさらに備えている、ファクシミリ装置。
【請求項５】
請求項４記載のファクシミリ装置において、
上記リスト表示部は、上記文書情報に加えて、上記ボックスを自動登録した旨の情報を上記受信文書リストに保持するように構成されている、ファクシミリ装置。
【発明の詳細な説明】
【技術分野】
【０００１】
本発明は、ファクシミリ装置に関する。
【背景技術】
【０００２】
従来より、ファクシミリ装置では、受信データをその宛先ユーザーに割り当てられた専用ボックスに振分けて保存する技術が提案されている（特許文献１参照）。この専用ボックスは、宛先ユーザー毎に記憶部内に予め登録されている。宛先ユーザーは、自分の専用ボックスを開くことで自分宛の受信データだけを入手することができる。
【先行技術文献】
【特許文献】
【０００３】
【特許文献１】特開平１１−１９６２０６号公報
【発明の概要】
【発明が解決しようとする課題】
【０００４】
しかしながら、上記特許文献１に示すファクシミリ装置では、受信データの保存先のボックスの記憶領域が不足している場合に、自装置からプリント出力（以下、自局出力という）する以外に受信データの内容を確認する方法がない。しかし、受信データを自局出力すると、自分宛の受信データが簡単に他人の目に晒されて情報が盗まれる虞がある。
【０００５】
本発明は、かかる点に鑑みてなされたものであり、その目的とするところは、受信データの振分け先のボックスの記憶容量が不足する場合に、受信データが自局出力されてその秘匿性が損なわれるのを防止することにある。
【課題を解決するための手段】
【０００６】
本発明に係るファクシミリ装置は、ファクシミリ通信回線を通じてデータを受信する受信部と、ユーザーアカウント毎に予め登録された記憶領域であるボックスを有する記憶部と、上記受信部が受信した受信データを基に、該受信データの宛先ユーザーのユーザーアカウントを認識する宛先認識部と、該宛先認識部が認識したユーザーアカウントに紐付けされたボックスに上記受信データを振り分けて保存する振分け部と、上記受信部が受信した受信データを自装置からプリント出力するプリント出力部と備えている。
そして、上記振分け部による振分け先のボックスの記憶容量が、保存しようとする受信データの容量に対して不足する場合に、上記受信データの宛先ユーザーが、自装置にログイン中のユーザーであるか否かを判定するログインユーザー判定部と、上記ログインユーザー判定部において上記宛先ユーザーが自装置にログイン中であると判定された場合に、上記受信データを上記プリント出力部からプリント出力するか否かを、当該ログイン中のユーザーに確認する確認部と、上記確認に対して上記ログイン中のユーザーがプリント出力しない旨を回答した場合、及び、上記ログインユーザー判定部において上記宛先ユーザーが自装置にログイン中でないと判定された場合に、上記受信データを破棄するデータ破棄部とを備えている。
【発明の効果】
【０００７】
本発明によれば、受信データの振分け先のボックスの記憶容量が不足する場合に、受信データが自局出力されてその秘匿性が損なわれるのを防止することができる。
【図面の簡単な説明】
【０００８】
【図１】図１は、実施形態におけるファクシミリ装置の概略構成を示すブロック図である。
【図２】図２は、設定情報記憶部に記憶されたアカウント情報の説明図である。
【図３】図３は、設定情報記憶部に記憶されたボックス情報の説明図である。
【図４】図４は、設定情報記憶部に記憶されたログイン用情報の説明図である。
【図５】図５は、ログイン画面の一例を示す図である。
【図６】図６は、確認画面の一例を示す図である。
【図７】図７は、受信文書リストの一例を示す図である。
【図８】図８は、自局出力の規制処理を含むボックス保存制御の前半部を示すフローチャートである。
【図９】図９は、自局出力の規制処理を含むボックス保存制御の後半部を示すフローチャートである。
【図１０】図１０は、ボックスが新規に自動登録された後、ユーザーがファクシミリ装置にログインした際の受信文書リストの表示制御を示すフローチャートである。
【発明を実施するための形態】
【０００９】
以下、本発明の実施形態を図面に基づいて詳細に説明する。尚、本発明は、以下の実施形態に限定されるものではない。
【００１０】
図１は、実施形態におけるファクシミリ装置１０の構成を示すブロック図である。このファクシミリ装置１０は、プリント出力部１１、画像読取部１２、ファックス通信部１３、操作表示部１４、データ記憶部１５、及び設定情報記憶部１６を有している。
【００１１】
プリント出力部１１は、ファクシミリ通信による受信データの画像をプリントする内部装置である。画像読取部１２は、原稿から原稿画像を光学的に読み取って、原稿画像データを生成する内部装置である。画像読取部１２にて生成された原稿画像データは、ファクシミリ送信用データとして利用される。ファックス通信部１３は、図示しない外部のファクシミリ装置と公衆電話回線などの通信回線経由でファックス通信を行う。操作表示部１４は、ファクシミリ装置１０の筐体から外部に露出するように配置されている。操作表示部１４は、ユーザーに対して各種情報を表示すると共にユーザーからの各種操作を検出する。操作表示部１４は例えばタッチパネル１４ａと図示しないテンキーボタンとを有している。
【００１２】
［データ記憶部］
データ記憶部１５は及び設定情報記憶部１６は、ハードディスクドライブなどの不揮発性の記憶媒体により構成されている。
【００１３】
データ記憶部１５は、ファクシミリ装置１０が他のファクシミリ装置（図示省略）から受信した受信データを保存する。データ記憶部１５には、データの記憶領域であるボックス１５ａがユーザーアカウント毎に紐付けされて登録されている。各ボックス１５ａに紐付けされたユーザーアカウントのユーザーは、ファクシミリ装置１０にログインすることで、各ボックス１５ａ内の受信データにアクセスすることができる。各ボックス１５ａの登録は、例えば管理者権限を有するユーザーが操作表示部１４を介して行うことができる。
【００１４】
［設定情報記憶部］
設定情報記憶部１６には、アカウント情報１６１、ボックス情報１６２及びログイン用情報１６３等が記憶されている。
【００１５】
アカウント情報１６１は、図２に示すように、ファクシミリ装置１０を使用する各ユーザーのユーザーアカウントと、ユーザーアカウント情報とを紐付けしたデータである。ユーザーアカウントは、各ユーザーのそれぞれに割当てられた識別記号であり、本実施形態では例えば５桁の数字列で構成されている。ユーザーアカウント情報は、ユーザーアカウントにより識別される各ユーザーに関する情報である。本実施形態では、ユーザーアカウント情報の一例としてユーザー名、部署名及びメールアドレスを登録している。ユーザー名は、各ユーザーの氏名であって、図２では一例として漢字表記で登録している。部署名は、各ユーザーの会社内における所属部署（例えば、総務部、知的財産部等）の情報であって、図２では一例として漢字表記で登録している。メールアドレスは各ユーザーのメールアドレスであって、例えばユーザー名のローマ字表記とドメイン名との組み合わせで登録している。
【００１６】
ボックス情報１６２は、図３に示すように、データ記憶部１５に登録された各ボックス１５ａのボックス番号と、該各ボックス番号に紐付けされたユーザーアカウントとからなる。ボックス情報の登録（つまりボックス１５ａの新規登録）は管理者権限を有するユーザーが操作表示部１４を介して行うことができる。  
【００１７】
ログイン用情報は、ユーザーがファクシミリ装置１０にログインする際に必要な情報である。ログイン用情報は、例えば図４に示すよう、ユーザーアカウントと該ユーザーアカウントに紐付けされたログインパスワードとからなる。
【００１８】
［制御部］
制御部１００は、操作表示部１４からの操作信号を基に、プリント出力部１１、画像読取部１２、ファックス通信部１３などを制御して、ファクシミリ送信及びファクシミリ受信などを実行する。また、制御部１００は、ファクシミリ通信により受信した受信データを、その宛先ユーザーのボックス１５ａに振り分けて保存するボックス保存制御を実行する。また、制御部１００は、受信データを保存しようとするボックス１５ａの容量が不足している場合に、受信データの自装置１０からのプリント出力（以下、自局出力という）を規制するプリント規制処理を実行する。
【００１９】
具体的には、制御部１００は、データ受信部１０１、宛先認識部１０２、振分け部１０３、ログイン認証部１０４、ログインユーザー判定部１０５、確認部１０６、データ破棄部１０７、ボックス自動登録部１０８及びリスト表示部１０９を有している。
【００２０】
データ受信部１０１は、ファックス通信部１３を介してデータを受信する。宛先認識部１０２は、受信データが表す受信画像をＯＣＲ処理して文字列情報に変換し、変換した文字列情報と上記ユーザーアカウント情報１６１とを照合することで、受信データの宛先ユーザーのユーザーアカウントを認識する。振分け部１０３は、宛先認識部１０２が認識したユーザーアカウントに紐付けされたボックス１５ａに上記受信データを振り分けて保存する。
【００２１】
ログイン認証部１０４は、タッチパネル１４ａにログイン画面２０(図５参照)を表示して、ファクシミリ装置１０を利用しようとするユーザーからのログイン情報の入力を促す。ログイン画面２０は、例えば図５に示すように、ユーザーアカウントの入力を受け付ける入力ボックス２１と、ログインパスワードの入力を受け付ける入力ボックス２２とを有している。
【００２２】
ログイン認証部１０４は、ログイン画面２０介して受け付けたユーザーアカウント及びログインパスワードを、設定情報記憶部１６に記憶されたログイン用情報１６３と照合することユーザー認証を行う。ログイン画面２０はユーザー認証に成功した場合には、ファクシミリ装置１０へのユーザーのログインを許可する一方、ユーザー認証に失敗した場合にはログインを禁止する。
【００２３】
ログインユーザー判定部１０５は、宛先認識部１０２が受信データの送信先として認識した宛先ユーザーが、ファクシミリ装置１０（自装置）にログイン中のユーザーであるか否かを判定する。この判定は、宛先ユーザーに対応するユーザーアカウントと、ログイン画面２０を介して取得したユーザーアカウントとが一致するか否かに基づいて行えばよい。
【００２４】
確認部１０６は、ログインユーザー判定部１０５において上記宛先ユーザーがファクシミリ装置１０（自装置）にログイン中であると判定された場合に、受信データを自局出力するか否かを確認する。確認部１０６は、この確認に際してタッチパネル１４ａに確認画面３０を表示する。確認画面３０には、図６に示すように、ユーザーに対して受信データを自装置からプリント出力するか否かを問い合わせるメッセージが表示される。また、確認画面３０には、このメッセージへの回答を行うためのチェックボックス３１と、受信データの画像をプレビュー表示するプレビュー画面３２とが設けられている。尚、プレビュー画面３２は必ずしも必要ではない。
【００２５】
データ破棄部１０７は、確認画面３０において「いいえ」が選択された場合、つまりユーザーが受信データを自局出力しない旨を回答した場合には受信データを破棄する。また、データ破棄部１０７は、ログインユーザー判定部１０５において、受信データの宛先ユーザーが、ファクシミリ装置１０にログイン中のユーザーではないと判定された場合にも、受信データを廃棄する。
【００２６】
ボックス自動登録部１０８は、宛先認識部１０２が認識した宛先ユーザーのユーザーアカウントに紐付けされたボックス１５ａが既に登録されているか否かを判定する。そして、ボックス自動登録部１０８は、登録されていないと判定した場合には、当該ユーザーアカウントに紐付けされたボックス１５ａをデータ記憶部１５内に自動的に登録する。
【００２７】
リスト表示部１０９は、自動登録部１０８よりデータ記憶部１５にボックス１５ａが自動登録された場合には、振分け部１０３により該ボックス１５ａ内に振り分けられた受信データの文書情報を受信文書リスト４０に保持する。リスト表示部１０９は、当該ボックス１５ａに紐付けされたユーザーアカウントのユーザーがファクシミリ装置１０にログインした際に、上記受信文書リスト４０をタッチパネル１４ａ（表示画面）に表示させる。
【００２８】
図７はこの受信文書リスト４０の一例を示す図である。この例では、受信文書リスト４０は、受信データの文書情報４２に加えて、ボックス１５ａを新規に作成した旨の情報４１を含んでいる。尚、受信データの文書情報４２は、宛先認識部１０２にて受信データをＯＣＲ処理することで得られる文字列情報を流用すればよい。
【００２９】
上述した各部１００〜１０９における処理は、制御部１００のＣＰＵがＲＯＭ内に記憶された制御プログラムを実行することで実現される。
【００３０】
［ボックス保存制御の詳細］
次に図８及び図９を参照して、制御部１００にて実行されるボックス保存制御の詳細を説明する。
【００３１】
ステップＳ１では、ファックス通信部１３を介して受信した受信データの画像の１ページ目にＯＣＲ処理をかけて文書データの文字列情報（文書情報）を取得する。
【００３２】
ステップＳ２では、ステップＳ１で取得した文書列情報に対して、各ユーザーのアカウント情報で検索をかける。
【００３３】
ステップＳ３では、ステップＳ２の検索処理の実行によって、文書情報の中に、カウント情報の一部又は全部と一致する文字列情報が検索されたか否かを判定する。この判定がＮＯである場合にはステップＳ８に進む一方、ＹＥＳである場合にはステップＳ４に進む。
【００３４】
ステップＳ４では、ステップＳ３で検索された文字列情報（ユーザー名等）を含むユーザーアカウントを特定する。尚、部署名のみが一致してもユーザーアカウントを特定するには不十分であるため、ユーザー名及びメールアドレスの少なくとも一方が一致する文字列を検索することが好ましい。
【００３５】
ステップＳ５では、ステップＳ４で特定したユーザーアカウントに紐付けされたボックス１５ａが現時点で未登録であるか否かを判定する。この判定がＮＯである場合にはステップＳ９に進む一方、ＹＥＳである場合にはステップＳ６に進む。
【００３６】
ステップＳ６では、ステップＳ４で特定したユーザーアカウントに紐付けされたボックス１５ａを新規に登録（自動登録）すると共に、ボックス１５ａを新規に作成（登録）した旨の情報４１を受信文書リスト４０（図７参照）に登録する。
【００３７】
ステップＳ７では、ステップＳ６で新規に登録したボックス１５ａに、受信データの文書情報４２を保存すると共に、受信文書リスト４０に該文書情報４２（図７参照）を登録する。
【００３８】
ステップＳ３の判定がＮＯである場合に進むステップＳ８では、タッチパネル１４ａに受信エラーの表示を行うとともに受信データを破棄し、しかる後にリターンする。
【００３９】
ステップＳ５の判定がＮＯである場合に進むステップＳ９では、受信データの保存先のボックス１５ａの記憶容量が、受信データの容量に対して不足しているか否かを判定する。この判定がＮＯである場合にはステップＳ１０（図９参照）に進む一方、ＹＥＳである場合には上記ステップＳ７の処理を実行する。
【００４０】
ステップＳ９の判定がＮＯである場合に進むステップＳ１０では、ステップＳ４で特定したユーザーアカウントのユーザーがファクシミリ装置１０（自装置）にログイン中であるか否かを判定する。この判定がＮＯである場合にはステップＳ１４に進む一方、ＹＥＳである場合にはステップＳ１１に進む。
【００４１】
ステップＳ１１では、受信データを自局出力することの可否をユーザーに確認する確認画面３０（図６参照）をタッチパネル１４ａに表示する。
【００４２】
ステップＳ１２では、タッチパネル１４ａからの操作信号を基に、ユーザーが自局出力することを許可したか否かを判定する。そして、この判定がＮＯある場合にはステップＳ１４に進む一方、ＹＥＳである場合にはステップＳ１３に進む。
【００４３】
ステップＳ１３では、受信データの画像を自局出力し、しかる後にリターンする。
【００４４】
ステップＳ１０及びステップＳ１２の判定がＮＯである場合に進むステップＳ１４では、タッチパネル１４ａに受信エラーの表示を行うとともに、受信データを破棄し、しかる後にリターンする。
【００４５】
［受信文書リストの表示制御］
次に図１０を参照して、制御部１００にて実行される受信文書リストの表示制御の詳細を説明する。
【００４６】
ステップＳ２１では、ユーザーのログイン認証に成功したか否かを判定し、この判定がＮＯである場合にはリターンする一方、ＹＥＳである場合にはステップＳ２２に進む。
【００４７】
ステップＳ２２では、ステップＳ２１でログインしたユーザーの受信文書リスト４０に文書情報が保持（登録）されているか否かを判定する。この判定がＮＯで有る場合にはリターンする一方、ＹＥＳである場合にはステップＳ２３に進む。
【００４８】
ステップＳ２３では、ログインしたユーザーの受信文書リスト４０をタッチパネル１４ａに表示する。
【００４９】
ステップＳ２４では、受信文書リスト４０にて文書情報の選択操作がなされたか否かを判定する。例えば図７の例では、最も下段にある文書情報４２が選択されていることを示しており、制御部１００では、タッチパネル１４ａにおける選択ボタン４３の操作を検出して、いずれの文書情報４２が選択されたかを検出する。本ステップＳ２４の判定がＮＯである場合にはリターンする一方、ＹＥＳである場合にはステップＳ２５に進む。
【００５０】
ステップＳ２５では、ステップＳ２４でユーザーが選択した文書情報を自局出力し、しかる後にリターンする。
【００５１】
［作用効果］
以上のように構成されたファクシミリ装置１０では、受信データのボックス保存制御に際して、保存先のボックス１５ａの記憶容量が不足する場合（ステップＳ９でＮＯの場合）には、受信データの自局出力の可否を宛先ユーザーに確認する処理（ステップＳ１１）を実行し、宛先ユーザーが自局出力を拒否した場合（ステップＳ１２でＮＯの場合）、及び宛先ユーザーがログイン中でない場合（ステップＳ１０でＮＯの場合）には受信データを破棄するようにした（ステップＳ１４）。
【００５２】
これにより、自分宛の受信データが意図せずに自局出力されて他人に見られるのを防止することができる。よって、受信データの秘匿性を保つことができる。
【００５３】
一方、受信データの宛先ユーザーがステップＳ１１の確認に対して自局出力を許可する旨の回答をした場合（ステップＳ１２でＹＥＳの場合）には、上記受信データを自局出力するようにした（ステップＳ１３）。
【００５４】
よって、宛先ユーザーが許可した場合には受信データの自局出力が可能になるので、宛先ユーザーの意図に反して受信データが破棄されることを極力回避することができる。
【００５５】
また、受信データの宛先ユーザー用のボックス１５ａがデータ記憶部１５に登録されていない場合には、当該宛先ユーザーのユーザーアカウント紐付けされたボックス１５ａが自動的に登録され、当該ボックス１５ａに受信データが保存される（ステップＳ６）。
【００５６】
これにより、宛先ユーザー用のボックス１５ａが未登録である場合に、受信データが意図せずに自局出力されるのを防止することができる。延いては、受信データの秘匿性が損なわれるのを確実に防止することができる。
【００５７】
また、上記ステップＳ６でボックス１５ａを新規に登録した場合には、その旨及び新規のボックス１５ａに保存した文書情報が受信文書リスト４０に保持される。そして、当該ボックス１５ａのユーザーがログインした際にはこの受信文書リスト４０がタッチパネル１４ａに表示される（ステップＳ２３）。
【００５８】
したがって、ボックス１５ａを自動登録した場合にユーザーが知らない間に受信データがボックス１５ａ内に蓄積されて行くのを防止することができる。
【００５９】
《他の実施形態》
上記実施形態では、宛先認識部１０２が受信データの宛先ユーザーのユーザーアカウントを認識する際に、受信データの画像をＯＣＲ処理するようにしているが、これに限ったものではない。例えば受信データのファイル名等に予め含まれる情報等を基に宛先ユーザーを判別するようにしてもよい。
【００６０】
上記実施形態では、ファクシミリ機能のみを有する装置について説明したが、これに限ったものではない。ファクシミリ装置は、ファクシミリ機能に加えてプリント機能、スキャナ機能及びコピー機能等を有する複合機（ＭＦＰ）であってもよい。
【産業上の利用可能性】
【００６１】
以上説明したように、本発明は、ファクシミリ装置について有用である。
【符号の説明】
【００６２】
１０    ：ファクシミリ装置（自装置）
１１    ：プリント出力部
１３    ：ファックス通信部
１４    ：操作表示部
１４ａ  ：タッチパネル
１５    ：データ記憶部
１５ａ  ：ボックス
３０    ：確認画面
４０    ：受信文書リスト
４１    ：作成した旨の情報
４２    ：文書情報
１００  ：制御部
１０１  ：データ受信部
１０２  ：宛先認識部
１０３  ：振分け部
１０３  ：自動登録部
１０５  ：ログインユーザー判定部
１０６  ：確認部
１０７  ：データ破棄部
１０８  ：ボックス自動登録部
１０９  ：リスト表示部
【図１】
2020005225.tif 000003
【図２】
2020005225.tif 000004
【図３】
2020005225.tif 000005
【図４】
2020005225.tif 000006
【図５】
2020005225.tif 000007
【図６】
2020005225.tif 000008
【図７】
2020005225.tif 000009
【図８】
2020005225.tif 000010
【図９】
2020005225.tif 000011
【図１０】
2020005225.tif 000012